(57)【要約】【課題】高齢化社会で増加する老人福祉施設とその入所者に対し、双方に利点があり効率的に使用できる家具兼用棺を提供する。【解決手段】特別な工具や技術を必要とせず収納家具を、廃棄物を出さずそれ自体の構成物で棺へと変化させる事ができる。これにより棺に対する費用、保管場所を軽減できる。【選択図】図１
2009100914.tif 000002
【特許請求の範囲】
【請求項１】
長側面を構成する左右２枚の側板と短側面を構成する上下２枚の妻板とによって形成された矩形枠体において、その矩形枠体の前方開口部には一側端部を軸として開閉するように前記上下２枚の妻板の間に取り付けられた矩形板状の扉があり、その扉四方側面及びその扉四方側面と対向する矩形枠体の左右側板と上下妻板には、一定間隔を空けて扉固定部材を挿入する為の穴が加工され、前記矩形枠体後方側には非固定の背板が背板位置決定部材の位置まで内部に挿入されており、矩形枠体後方開口部には、一般的な棺に見られるのぞき窓を加工した棺蓋がのぞき窓を有する面を矩形枠体内部側に向けた状態で、脱着可能な棺蓋固定部材によって矩形枠体へ固定され、その事によって内部に収納空間を有し、矩形枠体に収納家具としての機能を持たせる事が可能となり、前記左右側板及び上下妻板に設けられた扉固定材挿入用の穴に扉固定部材を挿入する事によって、扉を開閉不可状態にて矩形枠体に固定し、矩形枠体の底板としての機能を持たせ、のぞき窓が加工された前記棺蓋を矩形枠体へ固定していた棺蓋固定部材を取り外す事により、矩形枠体から前記棺蓋及び前記背板を外す事が可能になり、前記背板及び収納家具から棺へと形態を変化させる際に発生する他の不要部材については矩形枠体内部に、棺として使用する際に棺としての機能を妨げない位置に収められ、棺蓋ののぞき窓を有する面を矩形枠体外部へ向け、矩形枠体後方開口部を前記棺蓋にて覆う事により、棺として機能させる事が可能なとなる、廃棄物を出さず、特別な工具や技術が必要無く収納家具から棺へと形態を変化させる事が出来る特徴を持つ可燃性硬質素材を材料として構成された収納家具兼棺。
【請求項２】
請求項１記載の収納家具兼棺において、長側面を構成する左右２枚の側板と短側面を構成する上下２枚の妻板をダボや木組、その他可燃性の結束具によって矩形枠体を組立て式の構造とする特徴を持つ収納家具兼棺
【発明の詳細な説明】
【技術分野】
【０００１】
本発明は、収納家具と棺を一体化させた収納家具兼棺に関するものである
【背景技術】
【０００２】
高齢化が進む現代社会では老人福祉施設の数、入所者数は共に増加し、その入所施設内で亡くなる事例も増加傾向にある。その際にすぐに必要となる棺であるが、年金生活者である入所者にとって棺は高額な費用が必要であり、経済的負担は大きい。
【０００３】
また、死後すぐに必要となる棺であるが一般的な棺は、長さ１８０ｃｍ×幅５５ｃｍ×高さ４５ｃｍ程度である。棺を予め用意しておくには相応の広い場所が必要であり、施設にとっては保管場所を確保する負担が生じる。棺の容積を従来の棺よりも小さくするために組立て式（特許文献１）や折畳式（特許文献２）として保管しやすい形態のものが開示されている。しかしながら、前記先行技術は従来の棺よりも容積は小さくなっているが、棺として保管する為に場所を確保しなければいけない事には変わりない。
【特許文献１】特開２００２−２８２３１１号公報
【特許文献２】特開平７−３１３５６４号公報
【発明の開示】
【発明が解決しようとする課題】
【０００４】
高齢化が進む現代社会では、高齢者が老人福祉施設内で亡くなる事例が増加する傾向にあり、その時はすぐに必要となる棺である。人間の死後、必要となる棺であるが、年金生活者である高齢者にとってこの棺にかかる費用は高額である。本発明はこの棺に関る経済的負担を軽減しようとするものである。
【０００５】
また、死後すぐにでも必要となる棺であるが、予め準備しておくにはそれ相応の保管場所を確保する必要がある。組立て式や折畳式などで棺の容積を小さくする方法は既に開示されているが、容積が小さくなった棺であっても保管する相応の場所を用意しなければならない、という事には変わりない。
【０００６】
収納家具から棺へと形態を変化させると、収納家具では必要だったが棺では不要となる部材が幾つか発生する。これらの部材を別途廃棄するとなると手間や費用負担が生じる。現代では不要となった廃棄物処理についても費用が必要となり、その負担や手間は亡くなった高齢者の近親者やあるいは、施設いずれかが負担しなければならない。そのため余計な廃棄物を出さない、という事も本発明の重要な課題となる。
【課題を解決するための手段】
【０００７】
本発明は前記の課題を解決するために、収納家具兼棺を老人福祉施設内に収納家具として設置する。入所者である高齢者は、施設内での日常の生活では収納家具兼棺を収納家具として使用する。やがてその収納家具を使用していた入所者が亡くなると、収納家具兼棺はその構成物及び、内部に予め準備収納されてる部材によって特別な工具や技術を必要とせず棺として形態を変化させる。この事により入所者にとっては、収納家具を施設内に設置する際に必要となる初期費用だけの負担で済み、棺が必要となった際に新たに棺に関しての費用の負担が発生しないことになる。
【０００８】
そして、入所者が日常生活している時には、収納家具兼棺は収納家具として使用されているために棺の保管場所として別途、場所を確保する必要が無くなる。そして、棺が必要となる際には、収納家具兼棺の形態を変化させる事によって、すぐに棺が準備出来る。この事で予め棺を準備しておく事が可能であり且つ、棺の大きさ相応の保管場所を確保するという必要が無くなるために施設側の負担が解消される。
【０００９】
収納家具兼棺では、収納家具と使用していた際には必要だった部材が棺へと変化させると不要となる部材が発生する。その不要となった部材は廃棄しなければならない。この収納家具兼棺には棺へと形態を変化させた際に不要となった部材を収納する空間を予め設けており、棺へと形態を変化させた際に不要となった部材はその空間に収納しておく。不要となった部材を収納する空間は棺を使用する際にはその使用の妨げとなる事は無く、従来の棺と同じ様に遺体を収棺し火葬する事が可能である。不要となった部材は可燃性の材質で作られているので火葬する際に棺と一緒に焼却処分する事が可能となり、不要となった部材を廃棄物として別途処理する必要が無くなる。
【発明の効果】
【００１０】
本発明の収納家具兼棺の形状は矩形面によって直方体を形成している。収納家具として使用する際に扉が付き、棺と形態を変化させた際には底になる面、矩形枠体の前方開口部側が収納家具の正面として機能し、その面に対向する、収納家具として使用する際には背側、棺と形態を変化させた際には蓋が覆う面、矩形枠体後方開口部側を棺の上面として機能させる事ができる収納家具と棺が一体化したものである。
【００１１】
使用していた入所者が亡くなると収納家具をその構成物とその内部に準備収納されていた部材によって棺へと形態を変化させる事が可能であり、新たに棺に関しての費用の負担が発生しない事になる。年金生活者である高齢者にとって棺の費用を捻出するには大変な経済的負担となるため発明の効果は高く評価できる。
【００１２】
収納家具から棺へと形態を変化させる際には特別な工具や技術を必要とせず、収納家具内部に準備収納されている組立て説明書と、同じく準備収納されている組立て工具（木槌など）を使い施設職員や入所者の近親者等によって作業が可能である。なので、別途業者に棺へ形態を変改させる作業を委託する必要は無く、特別な技術を持たない人でも必要な際にはすぐに棺へと形態を変化させる事が可能である。
【００１３】
そして、収納家具として日常生活で使用している際には棺と意識させる部位は使用者からは見えない様に隠されている。この事で使用者には日常生活で使用している収納家具兼棺は普通の収納家具として認識され、決して使用している収納家具が棺へと形態を変化させると気付く事は無い。
【００１４】
よって棺へと形態を変化させる事が出来る収納家具兼棺であるが、使用者が日常生活範囲に収納家具兼棺を設置、使用していても収納家具兼棺から死を連想させる事は無い。このため、通常であれば保管場所を確保するのが困難な棺を使用者の生活範囲内に日常使用する家具として形態を変化させ、予め準備しておく事が可能となる。この事で棺の保管場所を確保する、という施設側の負担無く棺を準備しておく事が可能であり、且つ、使用者に死に対する不安を与える事も無く、この点でもこの発明の効果は高いと思われる。
【発明を実施するための最良の形態】
【００１５】
以下、本発明を添付図面を参照しながら実施の形態を説明する。
【００１６】
図２は本発明の１つの実施形態である収納家具兼棺を収納家具として使用した際の正面側から見た斜視図であり、図３は同じく正面側から見た斜視分解図である。対向する一対の左右側板１、２の内側下端部に妻板３、それに対向する内側上端部に妻板４を配置している。扉５には上下の側面に各一本の断面が円形状の木や木質材料、その他可燃性の材質で作られた支持棒６を有しており、その支持棒６を妻板３、４に円形に開けられた穴や扉支持用部材などで作られた支持点７にはめ込む。妻板３、４の両端に側板１、２をダボや木組、可燃性の結束具等によって固定すると側板１、２と妻板３、４により構成される矩形枠体８に扉５が取り付けられた形状を形成させる。
【００１７】
支持棒６を支持点７にはめ込む事で扉５は支持棒６および支持点７の中心点を基準として円弧を描いて開閉し扉として機能する事が可能となる。収納家具として使用する際には扉５を閉める事によって収納家具内部収納物を埃などから保護する役目を果たす。
【００１８】
収納家具兼棺は、使用者が亡くなるまでは収納家具として日常使用するため、側面１、２や天板、底板（妻板３、４に当たる）などは汚れや埃などが付着する事は容易に想像される。棺へと形態を変化させた際に、収納家具として使用していた際に付着した汚れや埃などが残っているのは好ましくない。それを防ぐために側板、妻板、その他全面にストリッパブルペイントと呼ばれる保護層形成塗料を予め塗装しておく。ストリッパブルペイントを塗装しておく事で収納家具の側板や天板、底板、その他ストリッパブル塗装を施した面に保護層が形成され、その保護層は容易に剥離させることが出来る。収納家具として使っていた際に付着した汚れや埃などはストリッパブルペイントにより形成された保護層を剥離するとその保護層と共に取り去られ汚れや埃などがない棺になる。
【００１９】
扉５を取り付けた面が収納家具兼棺を収納家具として使用する際の正面側となる。その正面側と対向する面が収納家具として使用する際の背側になる。図４はその収納家具として使用する際の背側から見た斜視図、図５は同じく背側から見た斜視分解図である。側板１、２、妻板３，４によって形成された矩形枠体８の内寸より少し小さい縦横寸法の、合板などの可燃性の硬い材質で作られた薄い板状で且つ、矩形枠体８の内部と同じ色合いを持った、背板９を矩形枠体８の背側より内部に入れる。内部には矩形枠体８の内部と同じ色合いの木材などの可燃性材質にて作られた背板位置決定部材である背板ストッパー１０に背板９が当たり、それ以上内部へは動かなくなる。背板９は収納家具として使用する際の内部側の背板となり、背板位置決定部材である背板ストッパー１０の位置により背板９の位置が決まると共に収納家具の内部奥行きの寸法も決まる事になる。
【００２０】
その後、棺として形態を変化させた際に蓋の役目をする棺蓋１１を、棺蓋として使用する際には外側になる面、１１ａを背板９と相対峙させて矩形枠体８の背側にあてがう。棺蓋１１は、矩形枠体８の背側の内寸に合う寸法で作られているので矩形枠体８内部へと収まる。妻板３、４及び妻板３、４の内側に接する棺蓋１１の面、１１ｂには棺蓋１１と矩形枠体８とを固定するために用いる棺蓋固定部材挿入用の穴である棺蓋固定ピン穴１３が空けられている。棺蓋１１を矩形枠体８の内部に収めた後、棺蓋固定ピン穴１３に棺蓋固定部材である棺蓋固定ピン１２を差し込む事によって矩形枠体８に棺蓋１１は固定され、収納家具として設置、使用する際に棺蓋１１が矩形枠体８から外れることが無くなる。
【００２１】
上記では棺蓋１１を矩形枠体８に収める前に背板９を矩形枠体８に入れて矩形枠体８の内部背板としている。もし、背板９を入れずに棺蓋１１を矩形枠体８に収めてしまうと、収納家具として使用している際、扉５を開けると収納家具の内部背板にあたる位置には棺蓋１１ａが見える事になる。棺蓋１１ａには従来からの棺蓋にも存在する様に、収棺されている遺体の顔が棺蓋をしたままでも拝見できる様に設けられたのぞき窓１４が加工されている。背板９が存在せず、１１ａ面が収納家具の内部の背板として見える様な状態であれば使用者は扉５を開閉する度に１１ａ面に加工されたのぞき窓１４を見る事になり、収納家具兼棺に対して棺を、ひいては死をも意識させる事になってしまう。
【００２２】
そのため棺蓋１１を矩形枠体８に収める前に背板９を矩形枠体８の内部に入れる事により、収納家具の扉５を開いた場合でもその内部奥には背板９が存在し、従来の収納家具と同じ形態となる。この事で使用者に対して収納家具兼棺を使用していても棺や死を意識させる事無く収納家具兼棺を収納家具として日常使用する事が可能となる。
【００２３】
棺蓋１１を矩形枠体８に固定したが、そのままであれば棺の蓋として使用する際に棺の内側となる面、１１ｃが、収納家具として使用しているうちに汚れや埃などが付着する可能性がある。それを防ぐために１１ｃ面には蓋背板１５が付けられている。１１ｃには蓋背板１５が差し込める様に溝が切ってあり棺蓋１１を棺の蓋として使用する際には蓋背板１５を棺蓋１１から引き抜く。棺蓋１１は屋根型蓋の形状をしており蓋背板１５で１１ｃを覆う事により、棺蓋１１の内部には空間が出来る。その空間に棺として使用する際の付属品（内部を覆う布や枕など）や棺として形態を変化させる際に必要となる工具や部材（ピン１９や木槌２１、棺への手順書など）を収納しておき、棺へと形態を変化させる際や棺として使用する際に必要となる品などを予め収納家具兼棺の内部へ準備収納しておく事によりそれらを別途保管する必要が無くなる。
【００２４】
図６は収納家具と使用している形態で内部の様子が見える様に扉５を省いた状態で描いた正面図である。内部には棚板１６があり可燃性の材質で作られた棚ダボ１７により支えられている。棚板１６は可動式の棚板なので長い物を収納する場合には棚板１６を取り外す事で収納可能になる。棺を意識させないように通常の収納家具として使用出来る事は重要な項目である。
【００２５】
図７は収納家具から棺へと変化する説明手順図である。まず最初に扉５を開き棚板１６を取り外す。棚板１６を外した後に側板１、２に取り付けられている棚板を支えていた棚ダボ１７を全て取り外す。棚ダボ１７は側板１、２に空けられた穴に接着剤などを使用せずに差し込まれているだけなので棚ダボ１７を引く事で側板１、２より取り外す事が可能である。
【００２６】
次に妻板３、４にある棺蓋固定部材である棺蓋固定ピン１２を引き抜く。棺蓋固定ピン１２を引き抜く事により矩形枠体８から棺蓋１１及び背板９を取り外す事が可能になる。棺蓋１１ｃより蓋背板１５を引き抜き内部に収納してあった棺として使用する際に必要な付属品及び、棺へと形態を変化させる際に必要となる工具や部材を取り出しておく。
【００２７】
次に扉５を開き背板９と蓋背板１５を矩形枠体８の内部に入れる。（図８）こちらにも背板位置決定部材である背板ストッパー１０がとりつけてあり、背板９と蓋背板１５が所定の位置で止まる様になっている。その後、扉５を閉じ側板１、２、妻板３、４にあらかじめ数箇所に空けられていた扉固定部材挿入用の穴であるピン穴１８に、木や可燃性の硬い材質にて作られた断面が丸や多角形をした棒状の扉固定部材であるピン１９を差し込む（図９）。側板１、２、妻板３、４それぞれに空けられたピン穴１８に差し込まれたピン１９は、側板１、２、妻板３、４を貫通しそれに相対峙して空けられた扉固定部材挿入用の穴である扉ピン穴２０まで各々差し込まれる。ピン１９を差し込む際には、工具として収納しておいた木槌２１によって叩き込む。ピン１９の木槌２１にて叩いている面が、側板１、２、妻板３、４より斗出しない位置まで叩き込む。
【００２８】
四方からピン１９を差し込まれた事により扉５は、矩形枠体８に固定される。矩形枠体８や扉５にあらかじめ空けられている扉固定部材挿入用の穴であるピン穴１８、扉ピン穴２０及び扉固定部材であるピン１９は、扉５を棺の底板として使用するにおいて強度的に問題無く使用出来る様に、必要且つ十分な数を適所に配置させておく。その数や配置に関しては、収納家具兼棺の使用者の体格や利用する火葬場の規定、設置する老人福祉施設の意向などにより棺の大きさは変化する。そのため、必要な扉固定部材挿入用の穴であるピン穴及び扉固定部材であるピンの数や配置に関しては、その棺の大きさにより左右される。
【００２９】
こうして固定された扉５は、棺として使用する際の棺の底板の役割になる。矩形枠体８の四方から打ち込まれた扉固定部材ピン１９によって扉５はしっかりと固定され、棺の底板としての強度も十分に得られる事になる。また、扉５の内側に背板９、蓋背板１５を入れる事によって棺としての機能を損なう事無く、不要となった部材を火葬の際に棺と共に焼却が可能になる。
【００３０】
次に固定された扉５を有する面を底面にして、矩形枠体８を設置する。上部に開口があり棺として使用する形態が図１０である。矩形枠体８の内側、妻板３の方向に側板１、２から凸状に斗出した棚押え２２があり、その棚押え２２がある方が遺体を収棺する際に足が来る方向になる。その棚押え２２と妻板３の間に、妻板３と平行な状態で棚板１６を納める。その棚板１６と妻板３の間にはまだ空間があり、その空間に取り外した棚ダボ１７や組立てに使った木槌２１など収納家具から棺へと形態を変化させた際に不要となった部材を入れる。棚板１６及び棚ダボ１７、木槌２１などは共に木や木質素材、可燃性の素材で作られた物であるから棺と共に焼却する事が可能であるので、余分に廃棄物を処理する必要が無くなる。
【００３１】
次に棺の付属品として空いたスペースに収納してあった棺内部を覆う布やまくらなどを棺の内部に取り付ける。なお、棺の付属品に関しては、介護施設側より必要と思われる品をあらかじめ指定してもらい空いた空間に収納しておく。こうする事で宗派や宗教により変わる棺の付属品も収納家具兼棺の使用者の個々が希望する葬儀形態に合わせて準備しておく事が出来る。なお、棺の大きさは、収納家具兼棺の使用者の体格や利用する火葬場、設置する施設の意向などにより変化するため、収納する空間の空き余裕に応じて収納出来る棺の付属品の大きさや個数は変化する。
【００３２】
以上で収納家具が棺へと変化し遺体を収棺可能な形態へ変化させる事が出来た。そして、汚れ防止のために塗装しておいたストリッパブルペイントの保護層を剥離する事で収納家具として使用していた際についた汚れが無くなり棺が完成する。先程取り出した棺の付属品（内部を覆う布や枕など）を矩形枠体８の内部に取り付け準備が完了した棺に棺蓋１１で蓋をしたのが図１０である。
【００３３】
棺を構成する部材については全て可燃性の素材で作られているので通常の棺と変わりなく火葬する事が出来、収納家具として使用していたが棺に変化した際に不要になった部材等については全て棺の中に納められている。不要になった部材等も全て可燃性の素材で作られているために火葬の際に一緒に焼却することが出来、廃棄物の処理の手配や費用も不要である。
【図面の簡単な説明】
【００３４】
【図１】本発明の実施形態を示す収納家具兼棺の概要図
【図２】本発明の収納家具として使用した場合の正面から見た斜視図
【図３】本発明の収納家具として使用した場合の正面から見た斜視分解図
【図４】本発明の収納家具として使用した場合の背側から見た斜視図
【図５】本発明の収納家具として使用した場合の背側から見た斜視分解図
【図６】本発明の収納家具として使用した場合の内部図
【図７】本発明の収納家具から棺へと形態を変化させる説明手順図１
【図８】本発明の収納家具から棺へと形態を変化させる説明手順図２
【図９】本発明の収納家具から棺へと形態を変化させる説明手順図３
【図１０】本発明の収納家具を棺へと形態を変化させた外観図
【図１１】本発明の収納家具を棺へと形態を変化させ棺蓋をした状態の外観図
【符号の説明】
【００３５】
１  側板
２  側板
３  妻板
４  妻板
５  扉
６  扉支持棒
７  支持点
８  側板、妻板で形成された矩形枠体
９  背板
１０  背板ストッパー
１１  棺蓋
１１ａ  棺蓋ののぞき窓が加工された、棺として使用する際に外側になる面
１１ｂ  棺蓋の短側面、妻板３、４の内側に接する面
１１ｃ  棺蓋の棺と使用する際に棺の内側となる面
１２  蓋固定ピン
１３  蓋固定ピン穴
１４  のぞき窓
１５  蓋背板
１６  棚板
１７  棚ダボ
１８  ピン穴
１９  ピン
２０  扉ピン穴
２１  木槌
２２  棚押え
【図１】
2009100914.tif 000003
【図２】
2009100914.tif 000004
【図３】
2009100914.tif 000005
【図４】
2009100914.tif 000006
【図５】
2009100914.tif 000007
【図６】
2009100914.tif 000008
【図７】
2009100914.tif 000009
【図８】
2009100914.tif 000010
【図９】
2009100914.tif 000011
【図１０】
2009100914.tif 000012
【図１１】
2009100914.tif 000013